(57)【要約】【課題】  子機端末の使用が子機デモンストレーションのために邪魔されることを防止する【解決手段】  親機と子機を備える親子電話機において、子機は、子機の特徴を示す表示や効果音の出力などを行う子機デモンストレーション（以降、子機デモと称す）を実行する。しかし、子機が充電台に載置されていない場合（Ｓ１０１０）と、子機がバッテリー駆動中である場合（Ｓ１０２０）と、子機・操作起因処理を実行中である場合（Ｓ１０３０）と、子機が内線通話中状態である場合（Ｓ１０４０）と、子機が外線通話中状態である場合（Ｓ１０５０）と、子機アラームを実行中である場合（Ｓ１０６０）には（これらの５つの場合を、まとめて使用中状態と称す）、子機デモの実行を禁止する（Ｓ１０８０）。つまり、上記使用中状態には子機デモが開始されることがない。また、子機デモ実行中に上記使用中状態になった場合には、子機デモは終了する。【選択図】図１２
2006211149.tif 000002
【特許請求の範囲】
【請求項１】
親機端末と、通信回線を介して前記親機端末との間で通信を行う子機端末とを備えた親子通信機であって、
前記子機端末は、当該子機端末の機能を用いた子機デモンストレーションを実行する子機デモ実行手段を備え、
予め設定された子機デモ開始条件が成立すると、前記子機デモ実行手段に前記子機デモンストレーションを開始させる子機デモ開始手段と、
前記子機端末が使用者により使用されている使用状態にあるか否かを判断する子機使用判断手段と、
前記子機端末が前記使用状態にあると前記子機使用判断手段が判断した場合に、前記子機デモ開始手段の動作を禁止するデモ開始禁止手段と、
を備えることを特徴とする親子通信機。
【請求項２】
前記子機端末が載置されているか否かを判断する載置判断手段を備え、
前記子機使用判断手段は、
前記子機端末が載置されていないと前記載置判断手段が判断した場合に、前記子機端末が前記使用状態にあると判断する、
ことを特徴とする請求項１に記載の親子通信機。
【請求項３】
前記子機端末を着脱可能に載置するとともに、前記子機端末が載置されると前記子機端末に内蔵されている充電池である子機充電池を充電する充電手段を備え、
前記載置判断手段は、
前記子機端末が前記充電手段に載置されていると判断すると、前記子機端末が載置されていると判断する、
ことを特徴とする請求項２に記載の親子通信機。
【請求項４】
前記子機端末は、前記子機充電池を充電するための充電用端子を備え、
前記充電用端子への電圧印加を検出する端子電圧印加検出手段を備え、
前記載置判断手段は、
前記充電用端子への電圧印加を前記端子電圧印加検出手段が検出すると、前記子機端末が前記充電手段に載置されていると判断する、
ことを特徴とする請求項３に記載の親子通信機。
【請求項５】
前記子機端末に内蔵されている子機充電池により前記子機端末が駆動中である充電池駆動状態にあるか否かを判断する充電池駆動判断手段を備え、
前記子機使用判断手段は、
前記子機端末が前記充電池駆動状態にあると前記充電池駆動判断手段が判断した場合に、前記子機端末が前記使用状態にあると判断する、
ことを特徴とする請求項１〜請求項４の何れかに記載の親子通信機。
【請求項６】
前記子機端末は、前記子機充電池を充電するための充電用端子を備え、
前記充電用端子への電圧印加を検出する端子電圧印加検出手段を備え、
前記充電池駆動判断手段は、
前記充電用端子への電圧印加を前記端子電圧印加検出手段が未検出の場合に、前記子機端末が前記充電池駆動状態にあると判断する、
ことを特徴とする請求項５に記載の親子通信機。
【請求項７】
予め設定された所定処理を実行中である非待機状態に前記子機端末があるか否かを判断する待機判断手段を備え、
前記子機使用判断手段は、
前記子機端末が前記非待機状態にあると前記待機判断手段が判断した場合に、前記子機端末が前記使用状態にあると判断する、
ことを特徴とする請求項１〜請求項６の何れかに記載の親子通信機。
【請求項８】
前記子機端末は、使用者が各種情報を入力するための操作部を備え、
前記所定処理は、
使用者が前記操作部を操作することにより前記子機端末において開始される処理である操作部起因処理である、
ことを特徴とする請求項７に記載の親子通信機。
【請求項９】
前記所定処理は、
当該親子通信機が備える他の子機端末或いは前記親機端末からの指示に起因して前記子機端末において開始される処理である内線起因処理である、
ことを特徴とする請求項７または請求項８に記載の親子通信機。
【請求項１０】
前記親機端末は、外部通信回線を介して相手側通信端末との間で通信を行うように構成され、
前記所定処理は、
前記相手側通信端末からの着信に起因して前記子機端末において開始される処理である外線起因処理である、
ことを特徴とする請求項７〜請求項９の何れかに記載の親子通信機。
【請求項１１】
前記所定処理は、
予め設定された設定時間が経過したことに起因して前記子機端末において開始される処理である時間経過起因処理である、
ことを特徴とする請求項７〜請求項１０の何れかに記載の親子通信機。
【請求項１２】
前記親機端末は、
当該親機端末の機能を用いた親機デモンストレーションを実行する親機デモ実行手段と、
前記親機デモンストレーションの実行中に、前記子機端末に前記子機デモンストレーションを開始させるための子機デモ開始指令を、前記通信回線を介して送信するデモ開始指令送信手段と、を備え、
前記子機デモ開始手段は、
前記子機端末が前記子機デモ開始指令を受信した場合に、前記子機デモ開始条件が成立したものとする、
ことを特徴とする請求項１〜請求項１１の何れかに記載の親子通信機。
【請求項１３】
親機端末と、通信回線を介して前記親機端末との間で通信を行う子機端末とを備えた親子通信機であって、
前記子機端末は、当該子機端末の機能を用いた子機デモンストレーションを実行する子機デモ実行手段を備え、
前記子機端末が使用者により使用されている使用状態にあるか否かを判断する子機使用判断手段と、
前記子機端末が前記使用状態にあると前記子機使用判断手段が判断した場合に、前記子機デモ実行手段に前記子機デモンストレーションを終了させる子機デモ終了手段と、
を備えることを特徴とする親子通信機。
【請求項１４】
前記子機端末が載置されているか否かを判断する載置判断手段を備え、
前記子機使用判断手段は、
前記子機端末が載置されていないと前記載置判断手段が判断した場合に、前記子機端末が前記使用状態にあると判断する、
ことを特徴とする請求項１３に記載の親子通信機。
【請求項１５】
前記子機端末を着脱可能に載置するとともに、前記子機端末が載置されると前記子機端末に内蔵されている充電池である子機充電池を充電する充電手段を備え、
前記載置判断手段は、
前記子機端末が前記充電手段に載置されていると判断すると、前記子機端末が載置されていると判断する、
ことを特徴とする請求項１４に記載の親子通信機。
【請求項１６】
前記子機端末は、前記子機充電池を充電するための充電用端子を備え、
前記充電用端子への電圧印加を検出する端子電圧印加検出手段を備え、
前記載置判断手段は、
前記充電用端子への電圧印加を前記端子電圧印加検出手段が検出すると、前記子機端末が前記充電手段に載置されていると判断する、
ことを特徴とする請求項１５に記載の親子通信機。
【請求項１７】
前記子機端末に内蔵されている子機充電池により前記子機端末が駆動中である充電池駆動状態にあるか否かを判断する充電池駆動判断手段を備え、
前記子機使用判断手段は、
前記子機端末が前記充電池駆動状態にあると前記充電池駆動判断手段が判断した場合に、前記子機端末が前記使用状態にあると判断する、
ことを特徴とする請求項１３〜請求項１６の何れかに記載の親子通信機。
【請求項１８】
前記子機端末は、前記子機充電池を充電するための充電用端子を備え、
前記充電用端子への電圧印加を検出する端子電圧印加検出手段を備え、
前記充電池駆動判断手段は、
前記充電用端子への電圧印加を前記端子電圧印加検出手段が未検出の場合に、前記子機端末が前記充電池駆動状態にあると判断する、
ことを特徴とする請求項１７に記載の親子通信機。
【請求項１９】
予め設定された所定処理を実行中である非待機状態に前記子機端末があるか否かを判断する待機判断手段を備え、
前記子機使用判断手段は、
前記子機端末が前記非待機状態にあると前記待機判断手段が判断した場合に、前記子機端末が前記使用状態にあると判断する、
ことを特徴とする請求項１３〜請求項１８の何れかに記載の親子通信機。
【請求項２０】
前記子機端末は、使用者が各種情報を入力するための操作部を備え、
前記所定処理は、
使用者が前記操作部を操作することにより前記子機端末において開始される処理である操作部起因処理のうち予め設定された第1所定操作部起因処理である、
ことを特徴とする請求項１９に記載の親子通信機。
【請求項２１】
前記子機デモ実行手段が前記子機デモンストレーションを実行中である場合に、前記操作部起因処理のうち予め設定された第２所定操作部起因処理の実行を禁止する操作部起因処理禁止手段を備える、
ことを特徴とする請求項２０に記載の親子通信機。
【請求項２２】
前記所定処理は、
当該親子通信機が備える他の子機端末或いは前記親機端末からの指示に起因して前記子機端末において開始される処理である内線起因処理である、
ことを特徴とする請求項１９〜請求項２１の何れかに記載の親子通信機。
【請求項２３】
前記親機端末は、外部通信回線を介して相手側通信端末との間で通信を行うように構成され、
前記所定処理は、
前記相手側通信端末からの着信に起因して前記子機端末において開始される処理である外線起因処理である、
ことを特徴とする請求項１９〜請求項２２の何れかに記載の親子通信機。
【請求項２４】
前記所定処理は、
予め設定された設定時間が経過したことに起因して前記子機端末において開始される処理である時間経過起因処理のうち予め設定された第１所定時間経過起因処理である、
ことを特徴とする請求項１９〜請求項２３の何れかに記載の親子通信機。
【請求項２５】
前記子機デモ実行手段が前記子機デモンストレーションを実行中である場合に、前記時間経過起因処理のうち予め設定された第２所定時間経過起因処理の実行を禁止する時間経過起因処理禁止手段を備える、
ことを特徴とする請求項２４に記載の親子通信機。
【請求項２６】
前記親機端末は、当該親機端末の機能を用いた親機デモンストレーションを実行する親機デモ実行手段を備え、
前記子機端末は、前記子機デモンストレーションが終了した時点で、前記子機デモンストレーションが終了した旨を示す子機デモ終了情報を、前記通信回線を介して前記親機端末に送信する子機デモ終了情報送信手段を備え、
前記親機端末が前記子機デモ終了情報を受信した場合に、前記親機デモ実行手段による前記親機デモンストレーションを終了させる親機デモ終了手段を備える、
ことを特徴とする請求項１３〜請求項２５の何れかに記載の親子通信機。
【請求項２７】
前記子機端末は、前記子機デモンストレーションが終了した時点で、前記子機デモンストレーションが終了した旨を示す子機デモ終了情報を、前記通信回線を介して前記親機端末に送信する子機デモ終了情報送信手段を備え、
前記親機端末が前記子機デモ終了情報を受信した場合に、前記子機デモンストレーションが終了した旨を報知する報知手段を備える、
ことを特徴とする請求項１３〜請求項２５の何れかに記載の親子通信機。
【請求項２８】
前記機能は、音声を出力することである、
ことを特徴とする請求項１〜請求項２７の何れかに記載の親子通信機。
【請求項２９】
前記機能は、画像を表示することである、
ことを特徴とする請求項１〜請求項２８の何れかに記載の親子通信機。
【請求項３０】
請求項１〜請求項２９の何れかに記載される親子通信機の親機端末。
【請求項３１】
請求項１〜請求項２９の何れかに記載される親子通信機の子機端末。
【請求項３２】
請求項３０に記載の親機端末が備える前記各手段としての機能をコンピュータに実現させるためのプログラム。
【請求項３３】
請求項３１に記載の子機端末が備える前記各手段としての機能をコンピュータに実現させるためのプログラム。
【発明の詳細な説明】
【技術分野】
【０００１】
本発明は、互いに通信可能な親機端末と子機端末を備えた親子通信機に関する。
【背景技術】
【０００２】
親機端末と、この親機端末との間で通信回線を介して接続される子機端末とからなる親子通信機（たとえば、コードレス親子電話機）が広く利用されている。そして、このような親子通信機が店頭に展示される際に、この親子通信機の特徴や使い方、その他販売店が店頭に示したい事柄などをディスプレイ表示や効果音等によりお客に宣伝するためのデモンストレーションを親機端末側で行うものが知られている（例えば、特許文献１参照。）。
【特許文献１】特開平５−１３０１７６号公報
【発明の開示】
【発明が解決しようとする課題】
【０００３】
しかしながら、子機端末において、宣伝すべき新規の特徴（例えばディスプレイ表示方法など）や事柄がある場合に、この特徴や事柄を親機端末側でデモンストレーションしても、お客に十分に宣伝できないという問題があった。
【０００４】
そこで、子機端末の特徴や事柄を宣伝するためのデモンストレーション（以降、子機デモと称す）を子機端末側で行うことにより、子機端末の特徴や事柄をお客に分かり易く宣伝できるようにすることが考えられる。
【０００５】
しかし、店頭に展示されている子機端末を実際に操作するなどしてお客が使用しようとする際に、子機デモが実行されていると、子機デモの表示や効果音等により、お客による子機端末の使用が阻害されてしまうという問題があった。
【０００６】
本発明は、こうした問題に鑑みなされたものであり、子機端末の使用が子機デモのために邪魔されることを防止する親子通信機、親機端末、子機端末及びプログラムを提供することを目的とする。
【課題を解決するための手段】
【０００７】
上記目的を達成するためになされた第１発明は、親機端末と、通信回線を介して親機端末との間で通信を行う子機端末とを備えた親子通信機であって、子機端末は、当該子機端末の機能を用いた子機デモンストレーションを実行する子機デモ実行手段を備え、予め設定された子機デモ開始条件が成立すると、子機デモ実行手段に子機デモンストレーションを開始させる子機デモ開始手段と、子機端末が使用者により使用されている使用状態にあるか否かを判断する子機使用判断手段と、子機端末が使用状態にあると子機使用判断手段が判断した場合に、子機デモ開始手段の動作を禁止するデモ開始禁止手段とを備えることを特徴とする。
【０００８】
このように構成された親子通信機では、子機デモ開始手段は、子機デモ開始条件が成立すると、子機デモ実行手段に子機デモンストレーションを開始させる。また子機使用判断手段は、子機端末が使用状態にあるか否かを判断する。そしてデモ開始禁止手段は、子機端末が使用状態にあると子機使用判断手段が判断した場合に、子機デモ開始手段の動作を禁止する。
【０００９】
即ち、子機端末が使用状態にある場合には、子機デモ開始条件が成立しても子機デモンストレーションが開始されることはない。
このため、子機デモンストレーションに邪魔されることなく、店頭に展示された子機端末を使用することができる。
【００１０】
例えば、お客が子機端末を使用している最中に子機デモンストレーションが開始し、子機デモンストレーションによる表示や音声が邪魔になって、お客が試してみたいと考えている子機端末の機能を確認できなくなるということを防止できる。
【００１１】
また第１発明の親子通信機において、子機端末が使用状態にあるか否かを判断するために、具体的には、子機端末が載置されているか否かを判断する載置判断手段を備え、子機使用判断手段は、子機端末が載置されていないと載置判断手段が判断した場合に、子機端末が使用状態にあると判断するようにするとよい。
【００１２】
なお第１発明の親子通信機において、上記の「子機端末が載置されている」ということは、任意の場所の上に置かれている、つまり子機端末が静止している状態を示す。このため、周知の振動センサ，傾斜センサまたは加速度センサを子機端末に設け、これらのセンサの検出結果に基づいて、子機端末が載置されているか否かを判断するようにしてもよい。
【００１３】
一方、子機端末を着脱可能に載置するとともに、子機端末が載置されると子機端末に内蔵されている充電池である子機充電池を充電する充電手段を備えている場合には、載置判断手段は、子機端末が載置されているか否かを判断するために、子機端末が充電手段に載置されていると判断すると、子機端末が載置されていると判断するようにするとよい。
【００１４】
尚、子機端末が充電手段に載置されていると判断するために、具体的には、子機端末は、子機充電池を充電するための充電用端子を備え、充電用端子への電圧印加を検出する端子電圧印加検出手段を備え、載置判断手段は、充電用端子への電圧印加を端子電圧印加検出手段が検出すると、子機端末が充電手段に載置されていると判断するようにするとよい。
【００１５】
更に第１発明の親子通信機において、子機端末が使用状態にあるか否かを判断するために、具体的には、子機端末に内蔵されている子機充電池により子機端末が駆動中である充電池駆動状態にあるか否かを判断する充電池駆動判断手段を備え、子機使用判断手段は、子機端末が充電池駆動状態にあると充電池駆動判断手段が判断した場合に、子機端末が使用状態にあると判断するようにするとよい。
【００１６】
そして第１発明の親子通信機において、子機端末が充電池駆動状態にあるか否かを判断するために、具体的には、子機端末は、子機充電池を充電するための充電用端子を備え、充電用端子への電圧印加を検出する端子電圧印加検出手段を備え、充電池駆動判断手段は、充電用端子への電圧印加を端子電圧印加検出手段が未検出の場合に、子機端末が充電池駆動状態にあると判断するようにするとよい。
【００１７】
更に第１発明の親子通信機において、子機端末が使用状態にあるか否かを判断するために、具体的には、予め設定された所定処理を実行中である非待機状態に子機端末があるか否かを判断する待機判断手段を備え、子機使用判断手段は、子機端末が非待機状態にあると待機判断手段が判断した場合に、子機端末が使用状態にあると判断するようにするとよい。
【００１８】
そして第１発明の親子通信機において、非待機状態に子機端末があるか否かを判断するために、具体的には、子機端末は、使用者が各種情報を入力するための操作部を備え、所定処理は、使用者が操作部を操作することにより子機端末において開始される処理である操作部起因処理であるようにするとよい。
【００１９】
また所定処理は、当該親子通信機が備える他の子機端末或いは親機端末からの指示に起因して子機端末において開始される処理である内線起因処理であるようにするとよい。
また親機端末が、外部通信回線を介して相手側通信端末との間で通信を行うように構成されている場合には、所定処理は、相手側通信端末からの着信に起因して子機端末において開始される処理である外線起因処理であるようにするとよい。
【００２０】
また所定処理は、予め設定された設定時間が経過したことに起因して子機端末において開始される処理である時間経過起因処理であるようにするとよい。
また第１発明の親子通信機においては、親機端末は、当該親機端末の機能を用いた親機デモンストレーションを実行する親機デモ実行手段と、親機デモンストレーションの実行中に、子機端末に子機デモンストレーションを開始させるための子機デモ開始指令を、通信回線を介して送信するデモ開始指令送信手段とを備え、子機デモ開始手段は、子機端末が子機デモ開始指令を受信した場合に、子機デモ開始条件が成立したものとするようにするとよい。
【００２１】
このように構成された親子通信機では、デモ開始指令送信手段は、親機デモンストレーションの実行中に、子機デモ開始指令を、通信回線を介して送信する。そして、子機デモ開始手段は、子機端末が子機デモ開始指令を受信した場合に、子機デモ実行手段に子機デモンストレーションを開始させる。
【００２２】
つまり、親機端末で親機デモンストレーションが実行されると子機端末でも子機デモンストレーションが実行されるように構成される。
尚、上記の子機デモ開始指令は、子機端末に子機デモンストレーションの開始を指示する旨を示すものであってもよいし、親機デモンストレーションの実行中である旨を示すものであってもよい。
【００２３】
また第２発明の親子通信機は、親機端末と、通信回線を介して親機端末との間で通信を行う子機端末とを備えた親子通信機であって、子機端末は、当該子機端末の機能を用いた子機デモンストレーションを実行する子機デモ実行手段を備え、子機端末が使用者により使用されている使用状態にあるか否かを判断する子機使用判断手段と、子機端末が使用状態にあると子機使用判断手段が判断した場合に、子機デモ実行手段に子機デモンストレーションを終了させる子機デモ終了手段とを備えることを特徴とする。
【００２４】
このように構成された親子通信機では、子機使用判断手段は、子機端末が使用状態にあるか否かを判断する。そして子機デモ終了手段は、子機端末が使用状態にあると子機使用判断手段が判断した場合に、子機デモ実行手段に子機デモンストレーションを終了させる。
【００２５】
即ち、子機デモンストレーションの実行中に子機端末が使用状態になると、子機デモンストレーションは終了する。
このため、子機デモンストレーションに邪魔されることなく、店頭に展示された子機端末を使用することができる。
【００２６】
例えば、子機デモンストレーション実行中にお客が子機端末の使用を開始しても子機デモンストレーションが実行され続け、子機デモンストレーションによる表示や音声が邪魔になって、お客が試してみたいと考えている子機端末の機能を確認できなくなるということを防止できる。
【００２７】
また第２発明の親子通信機において、子機端末が使用状態にあるか否かを判断するために、具体的には、子機端末が載置されているか否かを判断する載置判断手段を備え、子機使用判断手段は、子機端末が載置されていないと載置判断手段が判断した場合に、子機端末が使用状態にあると判断するようにするとよい。
【００２８】
なお第２発明の親子通信機において、第１発明と同様に、周知の振動センサ，傾斜センサまたは加速度センサを子機端末に設け、これらのセンサの検出結果に基づいて、子機端末が載置されているか否かを判断するようにしてもよい。
【００２９】
一方、第２発明の親子通信機において、子機端末を着脱可能に載置するとともに、子機端末が載置されると子機端末に内蔵されている充電池である子機充電池を充電する充電手段を備えている場合には、載置判断手段は、子機端末が載置されているか否かを判断するために、子機端末が充電手段に載置されていると判断すると、子機端末が載置されていると判断するようにするとよい。
【００３０】
尚、子機端末が充電手段に載置されていると判断するために、具体的には、子機端末は、子機充電池を充電するための充電用端子を備え、充電用端子への電圧印加を検出する端子電圧印加検出手段を備え、載置判断手段は、充電用端子への電圧印加を端子電圧印加検出手段が検出すると、子機端末が充電手段に載置されていると判断するようにするとよい。
【００３１】
更に第２発明の親子通信機において、子機端末が使用状態にあるか否かを判断するために、具体的には、子機端末に内蔵されている子機充電池により子機端末が駆動中である充電池駆動状態にあるか否かを判断する充電池駆動判断手段を備え、子機使用判断手段は、子機端末が充電池駆動状態にあると充電池駆動判断手段が判断した場合に、子機端末が使用状態にあると判断するようにするとよい。
【００３２】
そして第２発明の親子通信機において、子機端末が充電池駆動状態にあるか否かを判断するために、具体的には、子機端末は、子機充電池を充電するための充電用端子を備え、充電用端子への電圧印加を検出する端子電圧印加検出手段を備え、充電池駆動判断手段は、充電用端子への電圧印加を端子電圧印加検出手段が未検出の場合に、子機端末が充電池駆動状態にあると判断するようにするとよい。
【００３３】
更に第２発明の親子通信機において、子機端末が使用状態にあるか否かを判断するために、具体的には、予め設定された所定処理を実行中である非待機状態に子機端末があるか否かを判断する待機判断手段を備え、子機使用判断手段は、子機端末が非待機状態にあると待機判断手段が判断した場合に、子機端末が使用状態にあると判断するようにするとよい。
【００３４】
そして第２発明の親子通信機において、非待機状態に子機端末があるか否かを判断するために、具体的には、子機端末は、使用者が各種情報を入力するための操作部を備え、所定処理は、使用者が操作部を操作することにより子機端末において開始される処理である操作部起因処理のうち予め設定された第1所定操作部起因処理であるようにするとよい。
【００３５】
また第２発明の親子通信機において、子機デモ実行手段が子機デモンストレーションを実行中である場合に、操作部起因処理のうち予め設定された第２所定操作部起因処理の実行を禁止する操作部起因処理禁止手段を備えるようにするとよい。
【００３６】
このように構成された親子通信機では、子機デモンストレーション実行中に第２所定操作部起因処理を開始するための操作が行われた場合でも、第２所定操作部起因処理が開始されることはない。従って子機デモンストレーションは継続される。
【００３７】
このため、子機デモンストレーション実行中にお客が不用意に操作部を操作して、子機デモンストレーションが終了してしまうという事態の発生を抑制できる。
また第２発明の親子通信機において、非待機状態に子機端末があるか否かを判断するために、具体的には、所定処理は、当該親子通信機が備える他の子機端末或いは親機端末からの指示に起因して子機端末において開始される処理である内線起因処理であるようにするとよい。
【００３８】
また親機端末が、外部通信回線を介して相手側通信端末との間で通信を行うように構成されている場合には、所定処理は、相手側通信端末からの着信に起因して子機端末において開始される処理である外線起因処理であるようにするとよい。
【００３９】
また所定処理は、予め設定された設定時間が経過したことに起因して子機端末において開始される処理である時間経過起因処理のうち予め設定された第１所定時間経過起因処理であるようにするとよい。
【００４０】
また第２発明の親子通信機において、子機デモ実行手段が子機デモンストレーションを実行中である場合に、時間経過起因処理のうち予め設定された第２所定時間経過起因処理の実行を禁止する時間経過起因処理禁止手段を備えるようにするとよい。
【００４１】
このように構成された親子通信機では、子機デモンストレーション実行中において、第２所定時間経過起因処理が開始されるべき設定時間が経過した場合でも、第２所定時間経過起因処理が開始されることはない。従って子機デモンストレーションは継続される。
【００４２】
このため、子機デモンストレーションを終了させてまで開始させる必要がない時間経過起因処理のために子機デモンストレーションが終了してしまうという事態の発生を防止できる。
【００４３】
また第２発明の親子通信機において、親機端末は、当該親機端末の機能を用いた親機デモンストレーションを実行する親機デモ実行手段を備え、子機端末は、子機デモンストレーションが終了した時点で、子機デモンストレーションが終了した旨を示す子機デモ終了情報を、通信回線を介して親機端末に送信する子機デモ終了情報送信手段を備え、親機端末が子機デモ終了情報を受信した場合に、親機デモ実行手段による親機デモンストレーションを終了させる親機デモ終了手段を備えるようにしてもよい。
【００４４】
このように構成された親子通信機では、子機デモ終了情報送信手段は、子機デモンストレーションが終了した時点で、子機デモ終了情報を、通信回線を介して親機端末に送信する。そして親機デモ終了手段は、親機端末が子機デモ終了情報を受信した場合に、親機デモ実行手段による親機デモンストレーションを終了させる。
【００４５】
つまり、子機端末で子機デモンストレーションが終了すると親機端末でも親機デモンストレーションが終了するように構成される。
このため、子機デモンストレーションが終了したにもかかわらず、親機端末において親機デモンストレーションの実行が継続されているという事態の発生を抑制できる。
【００４６】
また第２発明の親子通信機において、子機端末は、子機デモンストレーションが終了した時点で、子機デモンストレーションが終了した旨を示す子機デモ終了情報を、通信回線を介して親機端末に送信する子機デモ終了情報送信手段を備え、親機端末が子機デモ終了情報を受信した場合に、子機デモンストレーションが終了した旨を報知する報知手段を備えるようにしてもよい。
【００４７】
このように構成された親子通信機では、子機デモ終了情報送信手段は、子機デモンストレーションが終了した時点で、子機デモ終了情報を、通信回線を介して親機端末に送信する。そして報知手段は、親機端末が子機デモ終了情報を受信した場合に、子機デモンストレーションが終了した旨を報知する。
【００４８】
このため、子機デモンストレーションが終了したことを、親機端末側で知ることができる。
また第１発明（第２発明）の親子通信機において、親機端末及び子機端末の機能としての音声出力や画像表示を用いて、親機デモンストレーション及び子機デモンストレーションを実行するようにするとよい。
【００４９】
なお、上記の子機デモ開始手段，子機使用判断手段，デモ開始禁止手段，載置判断手段，端子電圧印加検出手段，充電池駆動判断手段，待機判断手段，子機デモ終了手段，操作部起因処理禁止手段，時間経過起因処理禁止手段及び親機デモ終了手段は、親機端末及び子機端末の何れに備えられるようにしてもよいし、親機端末及び子機端末と通信可能に構成された装置を第１発明（第２発明）の親子通信機が備え、この装置に備えられるようにしてもよい。
【００５０】
また第１発明（第２発明）の親子通信機における親機端末及び子機端末は、第１発明（第２発明）の親子通信機を実現するためのものであり、第１発明（第２発明）の親子通信機と同様の効果を得ることができる。
【００５１】
また第１発明（第２発明）のプログラムは、第１発明（第２発明）の親子通信機の親機端末が備える各手段としての機能をコンピュータに実現させることを特徴とする。
このようなプログラムによって制御されるコンピュータシステムは、第１発明（第２発明）の親子通信機の親機端末の一部を構成することができ、同親機端末と同様の作用・効果を得ることができる。
【００５２】
また第１発明（第２発明）のプログラムは、第１発明（第２発明）の親子通信機の子機端末が備える各手段としての機能をコンピュータに実現させることを特徴とする。
このようなプログラムによって制御されるコンピュータシステムは、第１発明（第２発明）の親子通信機の子機端末の一部を構成することができ、同子機端末と同様の作用・効果を得ることができる。
【００５３】
尚、このような親機端末及び子機端末が備える各手段をコンピュータにて実現する機能は、例えば、コンピュータ側で起動するプログラムとして備えられる。このようなプログラムの場合、例えば、フレキシブルディスク，光磁気ディスク，ＣＤ−ＲＯＭ，ＤＶＤ−ＲＯＭ，ハードディスク，ＲＯＭ，ＲＡＭ等のコンピュータ読み取り可能な記録媒体に記録し、必要に応じてコンピュータにロードして起動することにより用いることができ、また、ネットワークを介してロードして起動することにより用いることができる。
【発明を実施するための最良の形態】
【００５４】
（第１実施形態）
以下に本発明の第１実施形態を図面とともに説明する。
図１はコードレス親子電話機１の斜視図、図２（ａ）は子機５０の背面を示す斜視図、図２（ｂ）は充電台８０の斜視図、図３はコードレス親子電話機１の電気的構成を表すブロック図である。
【００５５】
コードレス親子電話機１は、図１に示すように、電話回線網１００（図３参照）に接続される親機１０と、無線回線で親機１０と通信を行う子機５０と、図示しない外部電源に接続され（図３参照）、子機５０を着脱可能に載置し、載置された子機５０を所定の電圧で充電するための充電台８０とから構成されている。
【００５６】
これらのうち親機１０は、その親機本体ケース１１の側部に、親機１０本体から取り外した状態で使用する送受話器であるハンドセット（Ｈ／Ｓ）１２が取り付けられている。さらに、親機本体ケース１１の上面には、各種機能に関連する情報を表示するための表示パネル１３と、相手側の電話番号を入力するためのダイヤルボタン１４ａ，留守電メッセージ等を再生するときに操作される再生ボタン１４ｂ，留守電メッセージ等を消去するときに操作される消去ボタン１４ｃ，操作を途中で終了するときに操作される停止ボタン１４ｄ，表示パネル１３に表示されるメニュー画面等で選択するときに操作される選択ボタン１４ｅなどの各種操作ボタン１４が備えられている。
【００５７】
尚、表示パネル１３は、表示画面を背面から照明するバックライト付の液晶ディスプレイ（ＬＣＤ）である。
また子機５０には、ハンドセットの形状をした子機本体ケース５１の表面上に、各種機能に関連する情報を表示するための表示パネル５３と、相手側の電話番号を入力するためのダイヤルボタン５４ａ，外線通話を開始するときに操作される外線通話ボタン５４ｂ，通話を終了するときに操作される切ボタン５４ｃ，表示パネル５３に表示されるメニュー画面等で選択するときに操作される選択ボタン５４ｄなどの各種操作ボタン５４と、子機５０全体に電源を供給する電池７１（図３参照）を充電台８０から充電するための充電用端子５５（図２（ａ）参照）とが備えられている。
【００５８】
尚、表示パネル５３は、表示画面を背面から照明するバックライト付の液晶ディスプレイ（ＬＣＤ）である。
また充電台８０は、図２（ｂ）に示すように、子機５０を着脱可能に載置する載置用凹部８１ａが形成された充電台本体８１と、載置用凹部８１ａ内に設けられ、子機５０が載置用凹部８１ａ内に載置されると充電用端子５５に接触する充電用端子８２とから構成される。
【００５９】
次に、コードレス親子電話機１の電気的構成について説明する。
図３に示すように、親機１０は、親機１０全体の動作を制御する制御部２１，ハンドセット１２，表示パネル１３および操作ボタン１４からなるユーザインターフェース部（以降、ユーザＩ／Ｆとする）１５，音声信号を入力および出力する音声入出力部２３，予め記憶された各種音声信号に基づく音声を再生する再生部２５、子機５０との間で音声信号を含めた各種信号を無線通信により送受信する無線通信部２７，電話回線網１００経由で伝送される音声信号を入出力するＮＣＵ（ｎｅｔｗｏｒｋ  ｃｏｎｔｒｏｌ  ｕｎｉｔ）２９，親機１０内部における音声信号の伝送経路を切り換える経路切換部３１などを備えている。
【００６０】
これらのうち制御部２１は、種々のデータを格納するＲＡＭ２１ａと、電力が供給されない状態でも記憶されたデータを保持可能なＥＥＰＲＯＭ２１ｂを備えている。
これらのうちＲＡＭ２１ａには、親機１０がデモンストレーションを実行中であることを示す親機デモ実行フラグＦ１と、親機１０がデモンストレーションの開始可能状態にあることを示す親機デモ開始可能フラグＦ２と、親機１０にデモンストレーションを開始させるための指示があったことを示す親機デモ開始指示フラグＦ３、親機１０がデモンストレーションの継続可能状態にあることを示す親機デモ継続可能フラグＦ４とが設けられている。尚、以下の説明において、フラグをセットするとは、そのフラグの値を１にすることを示し、フラグをクリアするとは、そのフラグの値を０にすることを示す。
【００６１】
更にＲＡＭ２１ａには、所定時間毎（例えば１０ｍｓ毎）に自動的にインクリメントされる送信判定タイマＴ１が設けられている。この送信判定タイマＴ１は、ある時点でその値が０に設定（リセット）されると、その時点で再び０からインクリメントされるタイマである。
【００６２】
またＥＥＰＲＯＭ２１ｂには、相手先の名前と電話番号とが親機１０側で登録される親機電話帳を記憶するための記憶領域や、親機１０側でのアラーム設定時刻を記憶するための記憶領域が設けられている。
【００６３】
また音声入出力部２３は、スピーカ２３ａ、マイク２３ｂおよびこれらを駆動する駆動回路２３ｃを備え、スピーカ２３ａから音声信号に基づく音声を出力する以外に、スピーカ２３ａおよびマイク２３ｂを送受話器として、いわゆるハンズフリー通話を行えるように構成されている。
【００６４】
また再生部２５は、着信を受けた際に利用される呼出音、音声通話を保留する際に利用される保留音、設定された時刻になった旨を報知するためのアラーム音などの音声信号を記憶し、制御部２１からの指令を受けて、記憶されている音声信号を再生する。再生された音声信号はスピーカ２３ａから出力される。
【００６５】
また無線通信部２７は、子機５０との間で音声信号を含めた各種信号を無線通信により送受信する。
また経路切換部３１は、通話を開始するための操作が行われた場合に、親機１０外部との音声信号の入出力に利用する伝送経路をハンドセット１２，音声入出力部２３，無線通信部２７のいずれかに切り換える。具体的には、ハンドセット１２が親機１０本体から取り外された場合は、伝送経路をハンドセット１２に切り換え、ユーザＩ／Ｆ１５の操作ボタン１４によりハンズフリー通話を開始するための操作が行われた場合は、伝送経路を音声入出力部２３に切り換え、子機５０により通話を開始するための操作（後述の操作ボタン５４による）が行われた場合には、伝送経路を無線通信部２７に切り換える。
【００６６】
このように構成された親機１０の制御部２１は、親機１０にデモンストレーションを実行させるか否かの判断を行う親機デモ実行判断処理と、親機デモ実行判断処理による判断結果に基づいて親機１０にデモンストレーションを実行させる親機デモ実行処理と、子機５０がデモンストレーションを終了すると報知する親機側デモ報知処理とをそれぞれ独立に実行する。
【００６７】
次に子機５０は、子機５０全体の動作を制御する制御部６１と、スピーカとマイクおよびこれらを駆動する駆動回路からなる送受話部６３と、表示パネル５３および操作ボタン５４からなるユーザＩ／Ｆ５７と、予め記憶された各種音声信号に基づく音声を再生する再生部６５と、再生部６５により再生された音声を出力するスピーカおよびスピーカを駆動する駆動回路からなるスピーカ部６７と、親機１０（の無線通信部２７）との間で音声信号を含めた各種信号を無線通信により送受信する無線通信部６９と、子機５０全体に電源を供給する電池７１と、充電用端子８２と電気的に接続するための充電用端子５５と、充電用端子５５への電圧印加を検出するとともに、充電用端子５５を介して充電台８０から供給される電源電圧により電池７１を充電する充電回路７５と備えている。
【００６８】
なお制御部６１は、種々のデータを格納するＲＡＭ６１ａと、電力が供給されない状態でも記憶されたデータを保持可能なＥＥＰＲＯＭ６１ｂを備えている。
そしてＲＡＭ６１ａには、子機５０がデモンストレーションを実行中であることを示す子機デモ実行フラグＦ１１と、子機５０がデモンストレーションの開始可能状態にあることを示す子機デモ開始可能フラグＦ１２と、子機５０がデモンストレーションの継続可能状態にあることを示す子機デモ継続可能フラグＦ１４とが設けられている。
【００６９】
更にＲＡＭ６１ａには、所定時間毎（例えば１０ｍｓ毎）に自動的にインクリメントされる終了判定タイマＴ１１が設けられている。この終了判定タイマＴ１１は、ある時点でその値が０に設定（リセット）されると、その時点で再び０からインクリメントされるタイマである。
【００７０】
またＥＥＰＲＯＭ６１ｂには、相手先の名前と電話番号とが子機５０側で登録される子機電話帳を記憶するための記憶領域や、子機５０側でのアラーム設定時刻を記憶するための記憶領域が設けられている。
【００７１】
また再生部６５は、着信を受けた際に利用される呼出音、音声通話を保留する際に利用される保留音、設定された時刻になった旨を報知するためのアラーム音などの音声信号が記憶されている。
【００７２】
このように構成された子機５０の制御部６１は、子機５０にデモンストレーションを実行させるか否かの判断を行う子機デモ実行判断処理と、子機デモ実行判断処理による判断結果に基づいて子機５０にデモンストレーションを実行させる子機デモ実行処理と、子機５０のデモンストレーション実行中に、子機５０で行われる所定の操作を無効にするデモ中操作無効処理とをそれぞれ独立に実行する。
【００７３】
また充電台８０は、上述の充電用端子８２を備え、外部電源に接続される。
このように構成されたコードレス親子電話機１において、親機１０は、電話回線網１００を介して外部の相手側通信端末との間で外線通話が可能であるとともに、子機５０との間で内線通話が可能である。
【００７４】
また利用者が、親機１０の有する各機能を選択するためのメニュー画面を表示するための操作を操作ボタン１４から行うと、制御部２１は、相手先の名前と電話番号とを登録するための「１．親機電話帳」や、アラーム設定時刻を登録するための「２．親機アラーム」などの文字列が示される親機メニュー画面を表示パネル１３に表示させる。
【００７５】
そして、親機メニュー画面が表示されている状態（以降、親機メニュー表示状態と称す）において、利用者が、例えば「１．親機電話帳」を選択するための操作を操作ボタン１４から行うと、制御部２１は、相手先の名前と電話番号を入力するための親機電話帳登録画面を表示パネル１３に表示させる。その後、入力した名前と電話番号を登録するための操作が操作ボタン１４を介して行われると、制御部２１は、ＥＥＰＲＯＭ２１ｂ内に設けられた親機電話帳に、この名前と電話番号を登録する。
【００７６】
一方、親機メニュー表示状態において、利用者が、「２．親機アラーム」を選択するための操作を操作ボタン１４から行うと、制御部２１は、アラーム設定時刻を入力するための親機アラーム設定画面を表示パネル１３に表示させる。その後、入力したアラーム設定時刻を登録するための操作が操作ボタン１４を介して行われると、制御部２１は、このアラーム設定時刻をＥＥＰＲＯＭ２１ｂに記憶する。
【００７７】
そして現在時刻がアラーム設定時刻に達した時に、制御部２１は、例えば「親機アラーム１」の文字が点滅する親機アラーム画面を表示パネル１３に表示させるとともに、アラーム音をスピーカ２３ａに出力させる。
【００７８】
次に子機５０は、親機１０を介して、外部の相手側通信端末との間で外線通話が可能であるとともに、親機１０との間で内線通話が可能である。
また親機１０と同様に、利用者が、子機５０の有する各機能を選択するためのメニュー画面を表示するための操作を操作ボタン５４から行うと、制御部６１は、相手先の名前と電話番号とを登録するための「１．子機電話帳」や、アラーム設定時刻を登録するための「２．子機アラーム」などの文字列が示される子機メニュー画面を表示パネル５３に表示させる。
【００７９】
そして、子機メニュー画面が表示されている状態（以降、子機メニュー表示状態と称す）において、利用者が、例えば「１．子機電話帳」を選択するための操作を操作ボタン５４から行うと、制御部６１は、相手先の名前と電話番号を入力するための子機電話帳登録画面を表示パネル５３に表示させる。その後、入力した名前と電話番号を登録するための操作が操作ボタン５４を介して行われると、制御部６１は、ＥＥＰＲＯＭ６１ｂ内に設けられた子機電話帳に、この名前と電話番号を登録する。
【００８０】
一方、子機メニュー表示状態において、利用者が、「２．子機アラーム」を選択するための操作を操作ボタン５４から行うと、制御部６１は、アラーム設定時刻を入力するためのアラーム設定画面を表示パネル５３に表示させる。その後、入力したアラーム設定時刻を登録するための操作が操作ボタン５４を介して行われると、制御部６１は、このアラーム設定時刻をＥＥＰＲＯＭ６１ｂに記憶する。
【００８１】
そして現在時刻がアラーム設定時刻に達した時に、制御部６１は、例えば「子機アラーム１」の文字が点滅する子機アラーム画面を表示パネル５３に表示させるとともに、アラーム音をスピーカ部６７に出力させる。
【００８２】
更に、子機５０が充電用端子５５を介して充電台８０に接続されると、充電台８０を介して外部電源からの電圧が電池７１に供給される。
まず以下に、親機１０の制御部２１が実行する親機デモ実行判断処理の手順を、図４を用いて説明する。図４は、親機デモ実行判断処理を表すフローチャートである。尚、この親機デモ実行判断処理は、制御部２１が起動（電源オン）している間に繰り返し実行される処理である。
【００８３】
この親機デモ実行判断処理が実行されると、制御部２１は、まずＳ１０にて、親機デモ実行フラグＦ１がセットされているか否かを判断する。ここで、親機デモ実行フラグＦ１がセットされていない場合には（Ｓ１０：ＮＯ）、Ｓ２０にて、親機１０がデモンストレーションを開始可能であるか否かを判断する親機デモ開始可能状態判断処理（後述）を行う。
【００８４】
そしてＳ２０の処理が終了すると、Ｓ３０にて、親機デモ開始可能フラグＦ２がセットされているか否かを判断する。ここで、親機デモ開始可能フラグＦ２がセットされていない場合には（Ｓ３０：ＮＯ）、親機デモ実行判断処理を終了する。
【００８５】
一方、親機デモ開始可能フラグＦ２がセットされている場合には（Ｓ３０：ＹＥＳ）、Ｓ４０にて、親機１０にデモンストレーションを開始させる指示があるか否かを判断する親機デモ開始指示判断処理（後述）を行う。
【００８６】
そしてＳ４０の処理が終了すると、Ｓ５０にて、親機デモ開始指示フラグＦ３がセットされているか否かを判断する。ここで、親機デモ開始指示フラグＦ３がセットされていない場合には（Ｓ５０：ＮＯ）、親機デモ実行判断処理を終了する。
【００８７】
一方、親機デモ開始指示フラグＦ３がセットされている場合には（Ｓ５０：ＹＥＳ）、Ｓ６０にて、親機デモ実行フラグＦ１をセットする。その後Ｓ７０にて、子機５０にデモンストレーションを開始させるための子機デモ開始コマンドを子機５０に送信する。更にＳ８０にて、送信判定タイマＴ１をリセットして、親機デモ実行判断処理を終了する。
【００８８】
またＳ１０に戻り、親機デモ実行フラグＦ１がセットされている場合には（Ｓ１０：ＹＥＳ）、Ｓ９０にて、親機１０がデモンストレーションを継続可能であるか否かを判断する親機デモ継続可能状態判断処理（後述）を行う。
【００８９】
そしてＳ９０の処理が終了すると、Ｓ１００にて、親機デモ継続可能フラグＦ４がセットされているか否かを判断する。ここで、親機デモ継続可能フラグＦ４がセットされている場合には（Ｓ１００：ＹＥＳ）、Ｓ１１０にて、親機１０にデモンストレーションを終了させるために予め設定された操作（以降、親機デモ終了操作と称す）が行われたか否かを判断する。尚、本実施形態では、この親機デモ終了操作は、停止ボタン１４ｄが押下されることである。
【００９０】
ここで、親機デモ終了操作が行われた場合には（Ｓ１１０：ＹＥＳ）、Ｓ１５０に移行する。
また親機デモ終了操作が行われていない場合には（Ｓ１１０：ＮＯ）、Ｓ１２０にて、送信判定タイマＴ１の値（以降、送信判定タイマ値と称す）が所定送信タイマ値（例えば、１分に相当する値）を超えているか否かを判断する。ここで、送信判定タイマ値が所定送信タイマ値を超えていない場合には（Ｓ１２０：ＮＯ）、親機デモ実行判断処理を終了する。
【００９１】
一方、送信判定タイマ値が所定送信タイマ値を超えている場合には（Ｓ１２０：ＹＥＳ）、Ｓ１３０にて、親機１０がデモンストレーションを実行中であることを示す親機デモ実行中情報を子機５０へ送信し、更にＳ１４０にて送信判定タイマＴ１をリセットして、親機デモ実行判断処理を終了する。
【００９２】
また、Ｓ１００にて、親機デモ継続可能フラグＦ４がセットされていない場合には（Ｓ１００：ＮＯ）、Ｓ１５０に移行する。
そしてＳ１５０に移行すると、子機５０にデモンストレーションを終了させるための子機デモ終了コマンドを子機５０に送信し、更にＳ１６０にて、親機デモ実行フラグＦ１をクリアして、親機デモ実行判断処理を終了する。
【００９３】
次に、Ｓ２０において行われる親機デモ開始可能状態判断処理の手順を、図５を用いて説明する。図５は、親機デモ開始可能状態判断処理を表すフローチャートである。
この親機デモ開始可能状態判断処理が実行されると、制御部２１は、まずＳ３１０にて、親機・操作起因処理を実行中であるか否かを判断する。尚、この親機・操作起因処理は、操作ボタン１４が操作されることにより親機１０において制御部２１が実行する処理であり、例えば、上述の親機メニュー画面，親機電話帳登録画面及び親機アラーム設定画面を表示パネル１３に表示させる処理である。
【００９４】
そして親機・操作起因処理を実行中である場合には（Ｓ３１０：ＹＥＳ）、Ｓ３６０に移行する。一方、親機・操作起因処理を実行中でない場合には（Ｓ３１０：ＮＯ）、Ｓ３２０にて、親機１０において子機５０と内線通話中である内線通話中状態であるか否かを判断する。
【００９５】
ここで、内線通話中状態である場合には（Ｓ３２０：ＹＥＳ）、Ｓ３６０に移行する。一方、内線通話中状態でない場合には（Ｓ３２０：ＮＯ）、Ｓ３３０にて、親機１０において、外部の相手側通信端末と外線通話中である外線通話中状態であるか否かを判断する。
【００９６】
ここで、外線通話中状態である場合には（Ｓ３３０：ＹＥＳ）、Ｓ３６０に移行する。一方、外線通話中状態でない場合には（Ｓ３３０：ＮＯ）、Ｓ３４０にて、親機アラームを実行中であるか否かを判断する。
【００９７】
ここで、親機アラームを実行中である場合には（Ｓ３４０：ＹＥＳ）、Ｓ３６０に移行する。一方、親機アラームを実行中でない場合には（Ｓ３４０：ＮＯ）、Ｓ３５０にて、親機デモ開始可能フラグＦ２をセットして、親機デモ開始可能状態判断処理を終了する。
【００９８】
またＳ３６０に移行すると、親機デモ開始可能フラグＦ２をクリアして、親機デモ開始可能状態判断処理を終了する。
次に、Ｓ４０において行われる親機デモ開始指示判断処理の手順を、図６を用いて説明する。図６は、親機デモ開始指示判断処理を表すフローチャートである。
【００９９】
この親機デモ開始指示判断処理が実行されると、制御部２１は、まずＳ４１０にて、回線種別設定が完了しているか否かを判断する。この回線種別設定は、コードレス親子電話機１がユーザに購入されて電話回線網１００に初めて接続された場合に行われ、接続された電話回線網１００の回線種別（周知のプッシュトーン方式またはダイヤルパルス方式）をチェックして設定する処理である。尚、回線種別設定を見るかわりに、電話線が接続されているか否かを判断してもよい。
【０１００】
そして回線種別設定が完了していない場合には（Ｓ４１０：ＮＯ）、Ｓ４４０に移行する。一方、回線種別設定が完了している場合には（Ｓ４１０：ＹＥＳ）、Ｓ４２０にて、親機１０にデモンストレーションを開始させるために予め設定された操作（以降、親機デモ開始操作と称す）が行われたか否かを判断する。尚、本実施形態では、この親機デモ開始操作は、再生ボタン１４ｂと消去ボタン１４ｃとが同時に押下されることである。
【０１０１】
ここで、親機デモ開始操作が行われた場合には（Ｓ４２０：ＹＥＳ）、Ｓ４４０に移行する。一方、親機デモ開始操作が行われていない場合には（Ｓ４２０：ＮＯ）、Ｓ４３０にて、親機デモ開始指示フラグＦ３をクリアして、親機デモ開始指示判断処理を終了する。
【０１０２】
そしてＳ４４０に移行すると、親機デモ開始指示フラグＦ３をセットして、親機デモ開始指示判断処理を終了する。
次に、Ｓ９０において行われる親機デモ開始継続状態判断処理の手順を、図７を用いて説明する。図７は、親機デモ開始継続状態判断処理を表すフローチャートである。
【０１０３】
この親機デモ開始継続状態判断処理を実行すると、制御部２１は、まずＳ５１０にて、Ｓ３１０と同様にして親機・操作起因処理を実行中であるか否かを判断する。ここで、親機・操作起因処理を実行中である場合には（Ｓ５１０：ＹＥＳ）、Ｓ５７０に移行する。一方、親機・操作起因処理を実行中でない場合には（Ｓ５１０：ＮＯ）、Ｓ５２０にて、Ｓ３２０と同様にして、親機１０において子機５０と内線通話中状態であるか否かを判断する。
【０１０４】
ここで、内線通話中状態である場合には（Ｓ５２０：ＹＥＳ）、Ｓ５７０に移行する。一方、内線通話中状態でない場合には（Ｓ５２０：ＮＯ）、Ｓ５３０にて、Ｓ３３０と同様にして、親機１０において外線通話中状態であるか否かを判断する。
【０１０５】
ここで、外線通話中状態である場合には（Ｓ５３０：ＹＥＳ）、Ｓ５７０に移行する。一方、外線通話中状態でない場合には（Ｓ５３０：ＮＯ）、Ｓ５４０にて、Ｓ３４０と同様にして、親機アラームを実行中であるか否かを判断する。
【０１０６】
ここで、親機アラームを実行中である場合には（Ｓ５４０：ＹＥＳ）、Ｓ５７０に移行する。一方、親機アラームを実行中でない場合には（Ｓ５４０：ＮＯ）、Ｓ５５０にて、子機５０から子機デモ終了情報（後述）を受信したか否かを判断する。
【０１０７】
ここで、子機デモ終了情報を受信した場合には（Ｓ５５０：ＹＥＳ）、Ｓ５７０に移行する。一方、子機デモ終了情報を受信していない場合には（Ｓ５５０：ＮＯ）、Ｓ５６０にて、親機デモ継続可能フラグＦ４をセットして、親機デモ開始継続状態判断処理を終了する。
【０１０８】
そしてＳ５７０に移行すると、親機デモ継続可能フラグＦ４をクリアして、親機デモ開始継続状態判断処理を終了する。
次に、親機１０の制御部２１が実行する親機デモ実行処理の手順を、図８を用いて説明する。図８は、親機デモ実行処理を表すフローチャートである。尚、この親機デモ実行処理は、制御部２１が起動（電源オン）している間に繰り返し実行される処理である。
【０１０９】
この親機デモ実行処理が実行されると、制御部２１は、まずＳ６１０にて、親機デモ実行フラグＦ１がセットされているか否かを判断する。ここで、親機デモ実行フラグＦ１がセットされていない場合には（Ｓ６１０：ＮＯ）、親機デモ実行処理を終了する。
【０１１０】
一方、親機デモ実行フラグＦ１がセットされている場合には（Ｓ６１０：ＹＥＳ）、Ｓ６２０にて、親機１０のデモンストレーション（以降、親機デモとも称す）を実行する。即ち、コードレス親子電話機の特徴を示すデモ親機画面（例えば、図１５（ａ）参照）を表示パネル１３に表示させたり、親機デモ画面に連動して効果音やメロディをスピーカ２３ａに出力させたりする。その後、親機デモ実行処理を終了する。
【０１１１】
また、親機１０の制御部２１が実行する親機側デモ報知処理の手順を、図９を用いて説明する。図９は、親機側デモ報知処理を表すフローチャートである。尚、この親機側デモ報知処理は、制御部２１が起動（電源オン）している間に繰り返し実行される処理である。
【０１１２】
この親機側デモ報知処理が実行されると、制御部２１は、まずＳ７１０にて、子機５０から子機デモ終了情報（後述）を受信したか否かを判断する。ここで、子機デモ終了情報を受信していない場合には（Ｓ７１０：ＮＯ）、親機側デモ報知処理を終了する。
【０１１３】
一方、子機デモ終了情報を受信した場合には（Ｓ７１０：ＹＥＳ）、Ｓ７２０にて、子機５０においてデモンストレーションが終了した旨を、予め設定された所定表示時間（例えば１０秒）の間、表示パネル１３に表示させて、親機側デモ報知処理を終了する。
【０１１４】
次に、子機５０の制御部６１が実行する子機デモ実行判断処理の手順を、図１０を用いて説明する。図１０は、子機デモ実行判断処理を表すフローチャートである。尚、この子機デモ実行判断処理は、制御部６１が起動（電源オン）している間に繰り返し実行される処理である。
【０１１５】
この子機デモ実行判断処理が実行されると、制御部６１は、まずＳ８１０にて、子機デモ実行フラグＦ１１がセットされているか否かを判断する。ここで、子機デモ実行フラグＦ１１がセットされていない場合には（Ｓ８１０：ＮＯ）、Ｓ８２０にて、子機５０がデモンストレーションを開始可能であるか否かを判断する子機デモ開始可能状態判断処理（後述）を行う。
【０１１６】
そしてＳ８２０の処理が終了すると、Ｓ８３０にて、子機デモ開始可能フラグＦ１２がセットされているか否かを判断する。ここで、子機デモ開始可能フラグＦ１２がセットされていない場合には（Ｓ８３０：ＮＯ）、子機デモ実行判断処理を終了する。
【０１１７】
一方、子機デモ開始可能フラグＦ１２がセットされている場合には（Ｓ８３０：ＹＥＳ）、Ｓ８４０にて、親機１０から子機デモ開始コマンドまたは親機デモ実行中情報を受信したか否かを判断する。ここで、子機デモ開始コマンド及び親機デモ実行中情報を受信していない場合には（Ｓ８４０：ＮＯ）、子機デモ実行判断処理を終了する。
【０１１８】
また、子機デモ開始コマンドまたは親機デモ実行中情報を受信した場合には（Ｓ８４０：ＹＥＳ）、Ｓ８５０にて、子機デモ実行フラグＦ１１をセットする。更にＳ８６０にて、終了判定タイマＴ１１をリセットして、子機デモ実行判断処理を終了する。
【０１１９】
またＳ８１０に戻り、子機デモ実行フラグＦ１１がセットされている場合には（Ｓ８１０：ＹＥＳ）、Ｓ８７０にて、子機５０がデモンストレーションを継続可能であるか否かを判断する子機デモ継続可能状態判断処理を行う。
【０１２０】
そしてＳ８７０の処理が終了すると、Ｓ８８０にて、子機デモ継続可能フラグＦ１４がセットされているか否かを判断する。ここで、子機デモ継続可能フラグＦ１４がセットされていない場合には（Ｓ８８０：ＮＯ）、Ｓ９３０に移行する。
【０１２１】
一方、子機デモ継続可能フラグＦ１４がセットされている場合には（Ｓ８８０：ＹＥＳ）、Ｓ８９０にて、親機１０から子機デモ終了コマンドを受信したか否かを判断する。ここで、子機デモ終了コマンドを受信した場合には（Ｓ８９０：ＹＥＳ）、Ｓ９３０に移行する。
【０１２２】
また子機デモ終了コマンドを受信していない場合には（Ｓ８９０：ＮＯ）、Ｓ９００にて、親機１０から親機デモ実行中情報を受信したか否かを判断する。ここで、親機デモ実行中情報を受信した場合には（Ｓ９００：ＹＥＳ）、Ｓ９１０にて、終了判定タイマＴ１１をリセットして、Ｓ９２０に移行する。一方、親機デモ実行中情報を受信していない場合には（Ｓ９００：ＮＯ）、Ｓ９２０に移行する。
【０１２３】
そしてＳ９２０に移行すると、終了判定タイマＴ１１の値（以降、終了判定タイマ値と称す）が所定終了タイマ値（例えば、３分に相当する値）を超えているか否かを判断する。ここで、終了判定タイマ値が所定終了タイマ値を超えていない場合には（Ｓ９２０：ＮＯ）、子機デモ実行判断処理を終了する。一方、終了判定タイマ値が所定終了タイマ値を超えている場合には（Ｓ９２０：ＹＥＳ）、Ｓ９３０に移行する。
【０１２４】
そしてＳ９３０に移行すると、子機５０においてデモンストレーションを終了する旨を示す子機デモ終了情報を親機１０に送信し、更にＳ９４０にて、子機デモ実行フラグＦ１１をクリアして、子機デモ実行判断処理を終了する。
【０１２５】
次に、Ｓ８２０において行われる子機デモ開始可能状態判断処理の手順を、図１１を用いて説明する。図１１は、子機デモ開始可能状態判断処理を表すフローチャートである。
この子機デモ開始可能状態判断処理が実行されると、制御部６１は、まずＳ１０１０にて、子機５０が載置されているか否かを判断する。即ち、充電回路７５による検出結果に基づき、充電用端子５５へ電圧が印加されている場合には、子機５０が載置されていると判断し、充電用端子５５へ電圧が印加されていない場合には、子機５０が載置されていないと判断する。つまり、子機５０が充電台８０に載置されると、子機５０が載置されていると判断する。なお、充電回路による検出結果のかわりに、子機５０の底面に接触センサを付けて、このセンサの検出結果により判断してもよいし、子機５０に振動センサ，加速度センサ，傾きセンサなどを付けて判断してもよい。
【０１２６】
そして子機５０が載置されていない場合には（Ｓ１０１０：ＮＯ）、Ｓ１０８０に移行する。一方、子機５０が載置されている場合には（Ｓ１０１０：ＹＥＳ）、Ｓ１０２０にて、子機５０が電池７１により駆動中（以降、バッテリー駆動中と称す）であるか否かを判断する。即ち、充電回路７５による検出結果に基づき、充電用端子５５へ電圧が印加されている場合には、外部電源により駆動しているために、バッテリー駆動中でないと判断し、充電用端子５５へ電圧が印加されていない場合には、バッテリー駆動中と判断する。
【０１２７】
そして子機５０がバッテリー駆動中である場合には（Ｓ１０２０：ＹＥＳ）、Ｓ１０８０に移行する。一方、バッテリー駆動中でない場合には（Ｓ１０２０：ＮＯ）、Ｓ１０３０にて、子機・操作起因処理を実行中であるか否かを判断する。尚、この子機・操作起因処理は、操作ボタン５４が操作されることにより子機５０において制御部６１が実行する処理であり、例えば、上述の子機メニュー画面，子機電話帳登録画面及び子機アラーム設定画面を表示パネル５３に表示させる処理である。
【０１２８】
そして子機・操作起因処理を実行中である場合には（Ｓ１０３０：ＹＥＳ）、Ｓ１０８０に移行する。一方、子機・操作起因処理を実行中でない場合には（Ｓ１０３０：ＮＯ）、Ｓ１０４０にて、子機５０において親機１０と内線通話中である内線通話中状態であるか否かを判断する。
【０１２９】
ここで、内線通話中状態である場合には（Ｓ１０４０：ＹＥＳ）、Ｓ１０８０に移行する。一方、内線通話中状態でない場合には（Ｓ１０４０：ＮＯ）、Ｓ１０５０にて、子機５０において、外部の相手側通信端末と外線通話中である外線通話中状態であるか否かを判断する。
【０１３０】
ここで、外線通話中状態である場合には（Ｓ１０５０：ＹＥＳ）、Ｓ１０８０に移行する。一方、外線通話中状態でない場合には（Ｓ１０５０：ＮＯ）、Ｓ１０６０にて、子機アラームを実行中であるか否かを判断する。
【０１３１】
ここで、子機アラームを実行中である場合には（Ｓ１０６０：ＹＥＳ）、Ｓ１０８０に移行する。一方、子機アラームを実行中でない場合には（Ｓ１０６０：ＮＯ）、Ｓ１０７０にて、子機デモ開始可能フラグＦ１２をセットして、子機デモ開始可能状態判断処理を終了する。
【０１３２】
またＳ１０８０に移行すると、子機デモ開始可能フラグＦ１２をクリアして、子機デモ開始可能状態判断処理を終了する。
次に、Ｓ８７０において行われる子機デモ継続可能状態判断処理の手順を、図１２を用いて説明する。図１２は、子機デモ継続可能状態判断処理を表すフローチャートである。
【０１３３】
この子機デモ継続可能状態判断処理が実行されると、制御部６１は、まずＳ１２１０にて、Ｓ１０１０と同様にして、子機５０が載置されているか否かを判断する。
ここで、子機５０が載置されていない場合には（Ｓ１２１０：ＮＯ）、Ｓ１２９０に移行する。一方、子機５０が載置されている場合には（Ｓ１２１０：ＹＥＳ）、Ｓ１２２０にて、Ｓ１０２０と同様にして、子機５０がバッテリー駆動中であるか否かを判断する。
【０１３４】
そして子機５０がバッテリー駆動中である場合には（Ｓ１２２０：ＹＥＳ）、Ｓ１２９０に移行する。一方、バッテリー駆動中でない場合には（Ｓ１２２０：ＮＯ）、Ｓ１２３０にて、子機５０にデモンストレーションを終了させるために予め設定された操作（以降、子機デモ終了操作と称す）が行われたか否かを判断する。尚、本実施形態では、この子機デモ終了操作は、切ボタン５４ｃが押下されることである。
【０１３５】
ここで、子機デモ終了操作が行われた場合には（Ｓ１２３０：ＹＥＳ）、Ｓ１２９０に移行する。一方、子機デモ終了操作が行われていない場合には（Ｓ１２３０：ＮＯ）、Ｓ１２４０にて、Ｓ１０３０と同様にして、子機・操作起因処理を実行中であるか否かを判断する。
【０１３６】
ここで、子機・操作起因処理を実行中である場合には（Ｓ１２４０：ＹＥＳ）、Ｓ１２９０に移行する。一方、子機・操作起因処理を実行中でない場合には（Ｓ１２４０：ＮＯ）、Ｓ１２５０にて、Ｓ１０４０と同様にして、子機５０において親機１０と内線通話中状態であるか否かを判断する。
【０１３７】
そして、内線通話中状態である場合には（Ｓ１２５０：ＹＥＳ）、Ｓ１２９０に移行する。一方、内線通話中状態でない場合には（Ｓ１２５０：ＮＯ）、Ｓ１２６０にて、Ｓ１０５０と同様にして、子機５０において外線通話中状態であるか否かを判断する。
【０１３８】
ここで、外線通話中状態である場合には（Ｓ１２６０：ＹＥＳ）、Ｓ１２９０に移行する。一方、外線通話中状態でない場合には（Ｓ１２６０：ＮＯ）、Ｓ１２７０にて、Ｓ１０６０と同様にして、子機アラームを実行中であるか否かを判断する。
【０１３９】
ここで、子機アラームを実行中である場合には（Ｓ１２７０：ＹＥＳ）、Ｓ１２９０に移行する。一方、子機アラームを実行中でない場合には（Ｓ１２７０：ＮＯ）、Ｓ１２８０にて、子機デモ継続可能フラグＦ１４をセットして、子機デモ継続可能状態判断処理を終了する。
【０１４０】
またＳ１２９０に移行すると、子機デモ継続可能フラグＦ１４をクリアして、子機デモ継続可能状態判断処理を終了する。
次に、子機５０の制御部６１が実行する子機デモ実行処理の手順を、図１３を用いて説明する。図１３は、子機デモ実行処理を表すフローチャートである。尚、この子機デモ実行処理は、制御部６１が起動（電源オン）している間に繰り返し実行される処理である。
【０１４１】
この子機デモ実行処理が実行されると、制御部６１は、まずＳ１４１０にて、子機デモ実行フラグＦ１１がセットされているか否かを判断する。ここで、子機デモ実行フラグＦ１１がセットされていない場合には（Ｓ１４１０：ＮＯ）、子機デモ実行処理を終了する。
【０１４２】
一方、子機デモ実行フラグＦ１１がセットされている場合には（Ｓ１４１０：ＹＥＳ）、Ｓ１４２０にて、子機５０のデモンストレーション（以降、子機デモとも称す）を実行する。即ち、子機５０の特徴を示す子機デモ画面（例えば、図１５（ｂ）参照）を表示パネル５３に表示させたり、バックライトの点灯または点滅を表示パネル５３に実行させたり、バックライトの点灯／点滅や子機デモ画面に連動して効果音やメロディをスピーカ部６７に出力させたりする。その後、子機デモ実行処理を終了する。
【０１４３】
次に、子機５０の制御部６１が実行するデモ中操作無効処理の手順を、図１４を用いて説明する。図１４は、デモ中操作無効処理を表すフローチャートである。尚、このデモ中操作無効処理は、制御部６１が起動（電源オン）している間に繰り返し実行される処理である。
【０１４４】
このデモ中操作無効処理が実行されると、制御部６１は、まずＳ１５１０にて、子機デモ実行フラグＦ１１がセットされているか否かを判断する。ここで、子機デモ実行フラグＦ１１がセットされている場合には（Ｓ１５１０：ＹＥＳ）、Ｓ１５２０にて、操作ボタン５４のうち切ボタン５４ｃ及び選択ボタン５４ｄ以外の操作を無効にして、デモ中操作無効処理を終了する。一方、子機デモ実行フラグＦ１１がセットされていない場合には（Ｓ１５１０：ＮＯ）、Ｓ１５３０にて、Ｓ１５２０における切ボタン５４ｃ及び選択ボタン５４ｄ以外の操作の無効を解除して、デモ中操作無効処理を終了する。
【０１４５】
このように構成されたコードレス親子電話機１では、親機１０側において、回線種別設定が完了していない場合か、親機デモ開始操作が行われた場合に、親機デモを実行する（Ｓ６２０）とともに、親機デモの実行中に、子機デモ開始コマンド及び親機デモ実行中情報を送信する（Ｓ７０，Ｓ１３０）。そして、子機５０側において、親機１０から子機デモ開始コマンドまたは親機デモ実行中情報を受信した場合に、子機デモを実行する（Ｓ１４２０）。つまり、親機デモは親機１０側で行われ、子機デモは子機５０側で行われる。
【０１４６】
従って、子機５０側で子機５０の機能を用いることによって子機５０の特徴や使い方などを宣伝することができる。換言すると、子機５０の特徴を宣伝するためのデモンストレーションは子機５０自身が行う。
【０１４７】
このため、親機１０側で親機１０の機能を用いることにより子機５０の特徴や使い方などを宣伝する場合（つまり、子機５０の特徴を宣伝するためのデモンストレーションを親機１０がする場合）よりも、更にお客に分かり易く、子機５０の特徴や使い方などを宣伝することができる。
【０１４８】
更に、親機１０で親機デモが実行されると子機５０でも子機デモが実行されるようにされている。このため、子機５０側で特別な操作を行うことなく、子機デモを実行させることができる。
【０１４９】
そして親機１０は、親機デモの終了時に、子機５０に子機デモ終了コマンドを送信する。更に子機５０は、子機デモ終了コマンドを受信すると、子機デモを終了する。つまり、親機デモの終了と同時に、子機デモが終了するようにされている。
【０１５０】
このため、親機デモが終了したにもかかわらず、子機５０において子機デモの実行が継続されているという事態の発生を抑制できる。
また親機１０は親機デモの実行中に、親機デモ実行中情報複数回送信する。そして子機５０では、所定終了タイマ値により示される時間（本実施形態では３分）以上の間、子機デモ開始コマンド及び親機デモ実行中情報の未受信状態が継続した場合に、子機デモが終了する。
【０１５１】
つまり子機５０において、親機１０との通信不能状態（例えば、子機５０と親機１０との間の距離が、無線通信可能な距離を越えた場合）や、親機１０において子機デモ開始コマンド及び親機デモ実行中情報の未送信状態（すなわち、親機デモが実行されていない状態）が継続すると、子機デモンストレーションは終了する。
【０１５２】
このため、何らかの原因により子機５０が子機デモ開始コマンド及び親機デモ実行中情報の受信に失敗することに起因して、親機１０で親機デモを実行しているにも関わらず、子機５０で子機デモが実行されていないという事態の発生を抑制できる。
【０１５３】
また、子機５０が充電台８０に載置されていない場合（Ｓ１０１０，Ｓ１２１０）と、子機５０がバッテリー駆動中である場合（Ｓ１０２０，Ｓ１２２０）と、子機・操作起因処理を実行中である場合（Ｓ１０３０，Ｓ１２４０）と、内線通話中状態である場合（Ｓ１０４０，Ｓ１２５０）と、外線通話中状態である場合（Ｓ１０５０，Ｓ１２６０）と、子機アラームを実行中である場合（Ｓ１０６０，Ｓ１２７０）には（これらの５つの場合を、まとめて使用中状態と称す）、親機１０から子機デモ開始コマンドまたは親機デモ実行中情報を受信した場合でも子機デモは開始されることはない。また、子機デモ実行中に上記使用中状態になった場合には、子機デモは終了する。
【０１５４】
このため、子機デモに邪魔されることなく、店頭に展示された子機５０を使用することができる。
例えば、お客が子機５０を使用している最中に子機デモが開始したり、子機デモ実行中にお客が子機５０の使用を開始しても子機デモが実行され続けたりすることにより、子機デモによる表示や音声が邪魔になって、お客が試してみたいと考えている子機５０の機能を確認できなくなるということを防止できる。
【０１５５】
また、子機５０は、子機デモの終了時に、親機１０に子機デモ終了情報を送信する。更に親機１０は、子機デモ終了情報を受信すると、親機デモを終了する。つまり、子機デモの終了と同時に、親機デモが終了するようにされている。このため、子機デモが終了したにもかかわらず、親機１０において親機デモの実行が継続されているという事態の発生を抑制できる。
【０１５６】
また親機１０は、子機デモ終了情報を受信すると、子機デモが終了した旨を報知する。このため、子機デモが終了したことを、親機１０側で知ることができる。
また、子機デモ実行中に、操作ボタン５４のうち切ボタン５４ｃ及び選択ボタン５４ｄ以外の操作が行われた場合には、この操作に起因した処理は開始されることはない。従って子機デモは継続される。
【０１５７】
つまり、このようにボタン操作を制限することで、お客がボタンに偶然触れたり、適当にボタンを操作しただけで、子機デモが中断してしまうということを防止できる。また、選択ボタンを有効にすることで、電話帳の操作やメロディ設定の操作をお客が試すことができるようになる。また、切ボタンを有効にすることで、子機５０側で明示的に子機デモを終了させることができる。
【０１５８】
以上説明した実施形態において、コードレス親子電話機１は本発明における親子通信機、親機１０は本発明における親機端末、子機５０は本発明における子機端末、充電台８０は本発明における充電手段、充電用端子５５は本発明における充電用端子、充電回路７５は本発明における端子電圧印加検出手段、電池７１は本発明における子機充電池、操作ボタン５４は本発明における操作部、電話回線網１００は本発明における外部通信回線である。
【０１５９】
また、親機デモ実行処理は本発明における親機デモ実行手段、Ｓ８４０，Ｓ８５０の処理は本発明における子機デモ開始手段、子機デモ実行処理は本発明における子機デモ実行手段、子機デモ開始可能状態判断処理及び子機デモ継続可能状態判断処理は本発明における子機使用判断手段、Ｓ８３０の処理は本発明におけるデモ開始禁止手段、Ｓ８４０の処理で示される条件は本発明における子機デモ開始条件である。
【０１６０】
また、Ｓ１０１０，Ｓ１２１０の処理は本発明における載置判断手段、Ｓ１０２０，Ｓ１２２０の処理は本発明における充電池駆動判断手段、Ｓ１０３０〜Ｓ１０６０及びＳ１２４０〜Ｓ１２７０の処理は本発明における待機判断手段、子機・操作起因処理は本発明における操作部起因処理及び第1所定操作部起因処理、子機５０を内線通話中状態にする処理は本発明における内線起因処理、子機５０を外線通話中状態にする処理は本発明における外線起因処理、子機アラームを実行する処理は本発明における時間経過起因処理である。
【０１６１】
また、Ｓ７０及びＳ１３０の処理は本発明におけるデモ開始指令送信手段、子機デモ開始コマンド及び親機デモ実行中情報は本発明における子機デモ開始指令、Ｓ８８０の処理は本発明における子機デモ終了手段、デモ中操作無効処理は本発明における操作部起因処理禁止手段、切ボタン５４ｃ及び選択ボタン５４ｄの操作により開始される処理以外の処理は本発明における第２所定操作部起因処理である。
【０１６２】
また、Ｓ９３０の処理は本発明における子機デモ終了情報送信手段、Ｓ５５０の処理は本発明における親機デモ終了手段、親機側デモ報知処理は本発明における報知手段である。
【０１６３】
（第２実施形態）
以下に本発明の第２実施形態を図面とともに説明する。尚、第２実施形態では、第１実施形態と異なる部分のみを説明する。
【０１６４】
まず、第２実施形態におけるコードレス親子電話機１の構成を説明する。
第２実施形態のコードレス親子電話機１は、親機１０と、複数（本実施形態では、例えば３機）の子機５０と、複数の子機５０のそれぞれに対応した複数（３機）の充電台８０とから構成されている。
【０１６５】
そして、それぞれの子機５０のＥＥＰＲＯＭ６１ｂには、複数の子機５０を区別するために予め設定された子機識別番号（本実施形態では例えば、「１」，「２」，「３」の何れか）が記憶されている。
【０１６６】
また子機５０は、複数（本実施形態では、３個）のアラーム設定時刻での子機アラーム１，２，３を行うことが可能に構成されている。そして、この３個の子機アラーム１，子機アラーム２，子機アラーム３にはそれぞれ高・中・小の優先度が設定されている。
【０１６７】
すなわち、優先度が高いアラームが実行中の場合には、優先度の低いアラームの実行が禁止されるように構成されている。例えば、アラーム１（高優先度）の実行中に、アラーム２（中優先度）またはアラーム３（低優先度）のアラーム時刻になっても、アラーム２またはアラーム３は実行されない。あるいは、アラーム３（低優先度）の実行中にアラーム１（高優先度）またはアラーム２（中優先度）のアラーム時刻になると、アラーム３が終了して、アラーム１またはアラーム２が開始される。
【０１６８】
また、それぞれの子機５０のＲＡＭ６１ａには、所定時間毎（例えば１０ｍｓ毎）に自動的にインクリメントされる受信判定タイマＴ１２が設けられている。この受信判定タイマＴ１２は、ある時点でその値がリセットされると、その時点で再び０からインクリメントされるタイマである。
【０１６９】
さらにＲＡＭ６１ａには、親機デモ実行中情報の未受信回数を示す未受信回数カウンタＣ１１が設けられている。
次に、親機１０の制御部２１が実行する処理を説明する。尚、第１実施形態と異なる部分は、親機デモ実行判断処理である。
【０１７０】
更に第２実施形態の親機デモ実行判断処理において第１実施形態と異なるのは、Ｓ７０とＳ１３０である。
即ちＳ７０にて、複数の子機５０のうちデモンストレーションを実行させる子機５０の子機識別番号を示す予め設定された子機識別情報を子機デモ開始コマンドとともに送信する。
【０１７１】
またＳ１３０にて、上記子機識別情報を親機デモ実行中情報とともに送信する。
次に、子機５０の制御部６１が実行する処理を説明する。尚、第１実施形態と異なるのは、子機デモ実行判断処理及び子機デモ継続可能状態判断処理が変更されている点と、優先度の低い子機アラームの実行を禁止する低優先アラーム禁止処理が追加される点である。
【０１７２】
そこで、まず第２実施形態の子機デモ実行判断処理を、図１６を用いて説明する。図１６は、子機デモ実行判断処理を表すフローチャートである。
図１６に示すように、第２実施形態の子機デモ実行判断処理において第１実施形態と異なるのは、Ｓ８６０，Ｓ９００，Ｓ９１０及びＳ９２０の処理が省略されて、Ｓ８４５，Ｓ８６０ａ，Ｓ８９５，Ｓ９１０ａ，Ｓ９１５，Ｓ９１７，Ｓ９１９，Ｓ９２０ａ及びＳ９４５の処理が追加される点である。
【０１７３】
即ちＳ８４０にて、子機デモ開始コマンドまたは親機デモ実行中情報を受信した場合には（Ｓ８４０：ＹＥＳ）、Ｓ８４５にて、子機デモ開始コマンドまたは親機デモ実行中情報とともに送信された子機識別情報により示される子機識別番号が、ＥＥＰＲＯＭ６１ｂに記憶されている子機識別番号と一致しているか否かを判断する。ここで、子機識別番号が一致している場合には（Ｓ８４５：ＹＥＳ）、Ｓ８５０に移行する。一方、子機識別番号が一致していない場合には（Ｓ８４５：ＮＯ）、子機デモ実行判断処理を終了する。
【０１７４】
またＳ８４０に戻り、子機デモ開始コマンド及び親機デモ実行中情報を受信していない場合には（Ｓ８４０：ＮＯ）、子機デモ実行判断処理を終了する。
またＳ８５０の処理を終了すると、Ｓ８６０ａにて、受信判定タイマＴ１２をリセットして、子機デモ実行判断処理を終了する。
【０１７５】
またＳ８９０にて、子機デモ終了コマンドを受信していない場合には（Ｓ８９０：ＮＯ）、Ｓ８９５にて、受信判定タイマＴ１２の値（以降、受信判定タイマ値と称す）が所定受信タイマ値（例えば、１分に相当する値）を超えているか否かを判断する。ここで、受信判定タイマ値が所定受信タイマ値を超えていない場合には（Ｓ８９５：ＮＯ）、Ｓ９２０ａに移行する。
【０１７６】
一方、受信判定タイマ値が所定受信タイマ値を超えている場合には（Ｓ８９５：ＹＥＳ）、Ｓ９１０ａにて、受信判定タイマＴ１２をリセットして、さらにＳ９１５にて、直近で受信判定タイマＴ１２がリセットされてから現時点までの間に親機デモ実行中情報を受信したか否かを判断する。
【０１７７】
ここで、親機デモ実行中情報を受信していない場合には（Ｓ９１５：ＮＯ）、Ｓ９１７にて、未受信回数カウンタＣ１１をインクリメント（１加算）し、Ｓ９２０ａに移行する。一方、親機デモ実行中情報を受信した場合には（Ｓ９１５：ＹＥＳ）、Ｓ９１９にて、未受信回数カウンタＣ１１の値を０にして、Ｓ９２０ａに移行する。
【０１７８】
そしてＳ９２０ａに移行すると、未受信回数カウンタＣ１１の値（以降、未受信回数値と称す）が所定終了回数値（例えば、２）を超えているか否かを判断する。ここで、未受信回数値が所定終了回数値を超えていない場合には（Ｓ９２０ａ：ＮＯ）、子機デモ実行判断処理を終了する。一方、未受信回数値が所定終了回数値を超えている場合には（Ｓ９２０ａ：ＹＥＳ）、Ｓ９３０に移行する。
【０１７９】
またＳ９４０の処理が終了すると、Ｓ９４５にて、未受信回数カウンタＣ１１の値を０にして、子機デモ実行判断処理を終了する。
次に第２実施形態の子機デモ継続可能状態判断処理を、図１７を用いて説明する。図１７は、子機デモ継続可能状態判断処理を表すフローチャートである。
【０１８０】
図１７に示すように、第２実施形態の子機デモ継続可能状態判断処理において第１実施形態と異なるのは、Ｓ１２７０の処理に代わって、Ｓ１２７０ａの処理が行われる点である。
【０１８１】
即ち、アラーム１（高優先度）またはアラーム２（中優先度）を実行中であるか否かを判断する。ここで、アラーム１，２を実行中でない場合には（Ｓ１２７０ａ：ＮＯ）、Ｓ１２８０に移行する。一方、アラーム１，２を実行中である場合には（Ｓ１２７０ａ：ＹＥＳ）、Ｓ１２９０に移行する。
【０１８２】
次に第２実施形態の低優先アラーム禁止処理を、図１８を用いて説明する。図１８は、低優先アラーム禁止処理を表すフローチャートである。尚、この低優先アラーム禁止処理は、制御部６１が起動（電源オン）している間に繰り返し実行される処理である。
【０１８３】
この低優先アラーム禁止処理が実行されると、制御部６１は、まずＳ１６１０にて、子機デモ実行フラグＦ１１がセットされているか否かを判断する。ここで、子機デモ実行フラグＦ１１がセットされている場合には（Ｓ１６１０：ＹＥＳ）、Ｓ１６２０にて、アラーム３（低優先度）の実行を禁止して、低優先アラーム禁止処理を終了する。一方、子機デモ実行フラグＦ１１がセットされていない場合には（Ｓ１６１０：ＮＯ）、Ｓ１６３０にて、アラーム３（低優先度）の実行禁止を解除して、低優先アラーム禁止処理を終了する。
【０１８４】
このように構成されたコードレス親子電話機１では、複数の子機５０のうち予め設定された子機識別番号に対応する子機５０のみが子機デモを実行する。
また子機５０では、所定受信タイマ値と所定終了回数値により決定される時間（本実施形態では３分）以上の間、子機デモ開始コマンド及び親機デモ実行中情報の未受信状態が継続した場合に、子機デモが終了する。
【０１８５】
このため、親機デモが終了したにもかかわらず、子機５０において子機デモの実行が継続されているという事態の発生を抑制できる。
また、子機デモ実行中にアラーム１（高優先度）またはアラーム２（中優先度）のアラーム時刻になって、アラーム１またはアラーム２が実行されると、子機デモは終了する。一方、子機デモ実行中にアラーム３（低優先度）のアラーム時刻になっても、アラーム３は実行されず、子機デモは継続される。
【０１８６】
このため、子機デモを終了させてまで開始させる必要がないアラームのために子機デモが終了してしまうという事態の発生を防止できる。
以上説明した実施形態において、アラーム１，２を実行するための処理は本発明における第１所定時間経過起因処理、アラーム３を実行するための処理は本発明における第２所定時間経過起因処理、低優先アラーム禁止処理は本発明における時間経過起因処理禁止手段である。
【０１８７】
以上、本発明の一実施例について説明したが、本発明は上記実施例に限定されるものではなく、本発明の技術的範囲に属する限り種々の形態を採ることができる。
例えば上記実施形態では、コードレス親子電話機１に本発明の親子通信機としての構成を適用したものを例示した。しかし、本発明の親子通信機としての構成を適用する装置は、親機と子機で通信を行う機能を有していれば、コードレス親子電話機１以外の装置、例えば親機と子機を有するファクシミリ装置，複合機，親子インターホン，親子内線通話機であってもよい。
【０１８８】
また上記実施形態では、親機と子機との間で無線通信するものを示したが、親機と子機とが有線で接続されたものであってもよい。
また上記実施形態では、予め設定された所定時間毎に定期的に親機１０が親機デモ実行中情報を送信するものを示した。しかし、上記所定時間が経過する毎に、この所定時間が経過してから更に上記所定時間が経過するまでの間であればいつでも親機デモ実行中情報を送信するようにしてもよい。
【０１８９】
また上記第２実施形態では、複数の子機５０のそれぞれに、子機５０を区別するための子機識別番号が予め付与され、親機１０は、子機デモを実行させる子機５０に対応した子機識別番号を示す子機識別情報を子機デモ開始コマンド及び親機デモ実行中情報とともに送信し、子機端末は、受信した子機識別情報により示される子機識別番号が、自身の子機識別番号と一致している場合に、子機デモを開始するものを示した。しかし、複数の子機５０のうち予め選択された子機５０のみが、子機デモを実行するための手段（図１４の子機デモ実行処理）を備えるようにしてもよい。
【０１９０】
また上記実施形態では、子機デモ実行中に、切ボタン５４ｃ及び選択ボタン５４ｄのみの操作を有効にしたものを示した。しかし、切ボタン５４ｃのみを有効にしておき、切ボタン５４ｃが押された後に、選択ボタン５４ｄを含む各ボタン操作を有効にし、お客が子機５０の機能を試すことができるようにしてもよい。つまり、切ボタン５４ｃのみを有効にしたことで、操作ボタン５４が偶然操作されたことによるデモの中断をより防止できる。
【図面の簡単な説明】
【０１９１】
【図１】コードレス親子電話機１の斜視図。
【図２】子機５０及び充電台８０の斜視図。
【図３】コードレス親子電話機１の構成を表すブロック図。
【図４】親機デモ実行判断処理手順を表すフローチャート。
【図５】親機デモ開始可能状態判断処理手順を表すフローチャート。
【図６】親機デモ開始指示判断処理手順を表すフローチャート。
【図７】親機デモ開始継続状態判断処理手順を表すフローチャート。
【図８】親機デモ実行処理手順を表すフローチャート。
【図９】親機側デモ報知処理手順を表すフローチャート。
【図１０】子機デモ実行判断処理手順を表すフローチャート。
【図１１】子機デモ開始可能状態判断処理手順を表すフローチャート。
【図１２】子機デモ継続可能状態判断処理手順を表すフローチャート。
【図１３】子機デモ実行処理手順を表すフローチャート。
【図１４】デモ中操作無効処理手順を表すフローチャート。
【図１５】親機デモ画面及び子機デモ画面を表す図。
【図１６】子機デモ実行判断処理手順を表すフローチャート。
【図１７】子機デモ継続可能状態判断処理手順を表すフローチャート。
【図１８】低優先アラーム禁止処理手順を表すフローチャート。
【符号の説明】
【０１９２】
１…コードレス親子電話機、１０…親機、１１…親機本体ケース、１２…ハンドセット、１３…表示パネル、１４…操作ボタン、１４ａ…ダイヤルボタン、１４ｂ…再生ボタン、１４ｃ…消去ボタン、１４ｄ…停止ボタン、１４ｅ…選択ボタン、１５…ユーザＩ／Ｆ、２１…制御部、２３…音声入出力部、２３ａ…スピーカ、２３ｂ…マイク、２３ｃ…駆動回路、２５…再生部、２７…無線通信部、３１…経路切換部、５０…子機、５１…子機本体ケース、５３…表示パネル、５４…操作ボタン、５４ａ…ダイヤルボタン、５４ｂ…外線通話ボタン、５４ｃ…切ボタン、５４ｄ…選択ボタン、５５…充電用端子、５７…ユーザＩ／Ｆ、６１…制御部、６３…送受話部、６５…再生部、６７…スピーカ部、６９…無線通信部、７１…電池、７５…充電回路、８０…充電台、８１…充電台本体、８１ａ…載置用凹部、８２…充電用端子、１００…電話回線網。
【図１】
2006211149.tif 000003
【図２】
2006211149.tif 000004
【図３】
2006211149.tif 000005
【図４】
2006211149.tif 000006
【図５】
2006211149.tif 000007
【図６】
2006211149.tif 000008
【図７】
2006211149.tif 000009
【図８】
2006211149.tif 000010
【図９】
2006211149.tif 000011
【図１０】
2006211149.tif 000012
【図１１】
2006211149.tif 000013
【図１２】
2006211149.tif 000014
【図１３】
2006211149.tif 000015
【図１４】
2006211149.tif 000016
【図１５】
2006211149.tif 000017
【図１６】
2006211149.tif 000018
【図１７】
2006211149.tif 000019
【図１８】
2006211149.tif 000020